(57)【要約】【課題】事業者側の運用コストを下げ、ユーザのユーザビリティを向上することができる有料放送における契約案内システムを提供する。【解決手段】送出側装置１００と、受信側装置２００と、ＩＰネットワーク４００を介して受信側装置２００と接続されたポータルサーバ６００とを備え、前記送出側装置１００では、ＳＩ編集機能１０３によって、有料のデジタル放送のメディアストリーム中に、ＣＡ代替サービスの有無情報、遷移先チャンネル情報およびポータルサーバ６００への遷移情報を含む契約案内用情報を埋め込んで送出し、前記受信側装置２００では、受信したメディアストリーム中に埋め込まれた前記ポータルサーバ６００への遷移情報をＳＩ処理機能２０３によって抽出し、ポータルサーバ６００への遷移情報を、ポータルサーバ６００をブラウズするブラウザ２１０に送信して起動させる。【選択図】図４
2010081008.tif 000002
【特許請求の範囲】
【請求項１】
送出側装置と、受信側装置と、ネットワークを介して前記受信側装置と接続された契約案内用のサーバ装置とを備えた有料放送における契約案内システムであって、
前記送出側装置は、
有料のデジタル放送のメディアストリームを得る手段と、
前記デジタル放送のメディアストリーム中に、ＣＡ代替サービスの有無情報、遷移先チャンネル情報および契約案内用のサーバ装置への遷移情報を含む契約案内用情報を埋め込むＳＩ編集手段と、
前記契約案内用情報が埋め込まれたメディアストリームを、スクランブルを施して送出する送出手段とを備え、
前記受信側装置は、
前記契約案内用のサーバ装置をブラウズするブラウザと、
指定されたチャンネルを選局する選局手段と、
前記送出側装置の送出手段から送出され、前記選局手段により選局されたチャンネルのメディアストリームを受信する受信手段と、
前記受信手段により受信されたメディアストリームを入力とし、該メディアストリームのデスクランブルが可能か否かを判定し、前記契約案内用のサーバ装置への遷移情報の通知を発する処理を行うＳＩ処理手段と、
前記ＳＩ処理手段から出力されたメディアストリームのスクランブルを解除するスクランブル解除手段と、
前記スクランブル解除手段によりスクランブルが解除されたメディアストリームを再生するとともに、前記ＳＩ処理手段から発せられた各通知を受信し、前記遷移先チャンネル情報の通知を受信したときは、遷移先へ遷移するかをユーザが確認するための提示情報を発するとともに、ユーザが前記遷移に同意した場合に、該遷移先チャンネル情報が示すチャンネルに前記選局手段のチャンネルを指定し、前記契約案内用のサーバ装置への遷移情報の通知を受信したときは、遷移先へ遷移するかをユーザが確認するための提示情報を発するとともに、ユーザが前記遷移に同意した場合に、該契約案内用のサーバ装置への遷移情報を前記ブラウザに送信して該ブラウザを起動させる再生手段と、
ユーザが指定するチャンネルを受け付けて前記選局手段に送信するとともに、前記再生手段から発せられた各提示情報をユーザに提示し、該提示に対するユーザからの前記遷移についての確認解答を受け付けて前記再生手段に送信する入出力手段とを備えていることを特徴とする有料放送における契約案内システム。
【請求項２】
送出側装置と、受信側装置と、ネットワークを介して前記受信側装置と接続された契約案内用のサーバ装置とを備えた有料放送における契約案内システムであって、
前記送出側装置は、
有料のデジタル放送のメディアストリームを得る手段と、
前記デジタル放送のメディアストリーム中に、ＣＡ代替サービスの有無情報、遷移先チャンネル情報および契約案内用のサーバ装置への遷移情報を含む契約案内用情報を埋め込むＳＩ編集手段と、
前記契約案内用情報が埋め込まれたメディアストリームを、スクランブルを施して送出する送出手段とを備え、
前記受信側装置は、
前記契約案内用のサーバ装置をブラウズするブラウザと、
指定されたチャンネルを選局する選局手段と、
前記送出側装置の送出手段から送出され、前記選局手段により選局されたチャンネルのメディアストリームを受信する受信手段と、
前記受信手段により受信されたメディアストリームを入力とし、該メディアストリームのデスクランブルが可能か否かを判定し、可能と判定された場合は該メディアストリームを出力し、不可能と判定された場合は、前記メディアストリーム中に埋め込まれた前記契約案内用情報を抽出し、該抽出された契約案内用情報に基づいて、ＣＡ代替サービス無しのときは視聴不可の通知を発し、遷移先チャンネル情報有りのときは該遷移先チャンネル情報の通知を発し、契約案内用のサーバ装置への遷移情報有りのときは該遷移情報の通知を発する処理を行うＳＩ処理手段と、
前記ＳＩ処理手段から出力されたメディアストリームのスクランブルを解除するスクランブル解除手段と、
前記スクランブル解除手段によりスクランブルが解除されたメディアストリームを再生するとともに、前記ＳＩ処理手段から発せられた各通知を受信し、前記遷移先チャンネル情報の通知を受信したときは、遷移先へ遷移するかをユーザが確認するための提示情報を発するとともに、ユーザが前記遷移に同意した場合に、該遷移先チャンネル情報が示すチャンネルに前記選局手段のチャンネルを指定し、前記契約案内用のサーバ装置への遷移情報の通知を受信したときは、遷移先へ遷移するかをユーザが確認するための提示情報を発するとともに、ユーザが前記遷移に同意した場合に、該契約案内用のサーバ装置への遷移情報を前記ブラウザに送信して該ブラウザを起動させる再生手段と、
ユーザが指定するチャンネルを受け付けて前記選局手段に送信するとともに、前記再生手段から発せられた各提示情報をユーザに提示し、該提示に対するユーザからの前記遷移についての確認解答を受け付けて前記再生手段に送信する入出力手段とを備えていることを特徴とする有料放送における契約案内システム。
【請求項３】
送出側装置と、受信側装置と、ネットワークを介して前記受信側装置と接続された契約案内用のサーバ装置とを備えた有料放送における契約案内システムの契約案内方法であって、
前記送出側装置のメディアストリームを得る手段が、有料のデジタル放送のメディアストリームを得るステップと、
前記送出側装置のＳＩ編集手段が、前記デジタル放送のメディアストリーム中に、ＣＡ代替サービスの有無情報、遷移先チャンネル情報および契約案内用のサーバ装置への遷移情報を含む契約案内用情報を埋め込むＳＩ編集ステップと、
前記送出側装置の送出手段が、前記契約案内用情報が埋め込まれたメディアストリームを、スクランブルを施して送出する送出ステップと、
前記受信側装置の入出力手段が、ユーザが指定するチャンネルを受け付けて選局手段に送信するステップと、
前記受信側装置の選局手段が、前記ユーザが指定したチャンネルを選局する選局ステップと、
前記受信側装置の受信手段が、前記送出ステップにより送出され、前記選局ステップにより選局されたチャンネルのメディアストリームを受信する受信ステップと、
前記受信側装置のＳＩ処理手段が、前記受信ステップにより受信されたメディアストリームのデスクランブルが可能か否かを判定する判定ステップと、
前記受信側装置のスクランブル解除手段が、前記判定ステップで可能と判定された場合のメディアストリームのスクランブルを解除するスクランブル解除ステップと、
前記受信側装置のＳＩ処理手段が、前記判定ステップで不可能と判定された場合のメディアストリーム中に埋め込まれた前記契約案内用情報を抽出し、該抽出された契約案内用情報に基づいて、ＣＡ代替サービス無しのときは視聴不可の通知を発し、遷移先チャンネル情報有りのときは該遷移先チャンネル情報の通知を発し、契約案内用のサーバ装置への遷移情報有りのときは該遷移情報の通知を発するＳＩ処理ステップと、
前記受信側装置の再生手段が、前記スクランブル解除ステップによりスクランブルが解除されたメディアストリームを再生する再生ステップと、
前記受信側装置の再生手段が、前記ＳＩ処理ステップにより発せられた前記遷移先チャンネル情報の通知を受信したときに、遷移先へ遷移するかをユーザが確認するための提示情報を発する第１の提示情報発令ステップと、
前記受信側装置の入出力手段が、前記第１の提示情報発令ステップにより発せられた提示情報をユーザに提示し、該提示に対するユーザからの前記遷移についての確認解答を受け付けて前記再生手段に送信する第１の入出力ステップと、
前記受信側装置の再生手段が、前記第１の入出力ステップにより送信された確認回答が前記遷移に同意するものである場合に、前記遷移先チャンネル情報が示すチャンネルに前記選局手段のチャンネルを指定するチャンネル遷移ステップと、
前記受信側装置の再生手段が、前記ＳＩ処理ステップにより発せられた前記契約案内用のサーバ装置への遷移情報の通知を受信したときに、遷移先へ遷移するかをユーザが確認するための提示情報を発する第２の提示情報発令ステップと、
前記受信側装置の入出力手段が、前記第２の提示情報発令ステップにより発せられた提示情報をユーザに提示し、該提示に対するユーザからの前記遷移についての確認解答を受け付けて前記再生手段に送信する第２の入出力ステップと、
前記受信側装置の再生手段が、前記第２の入出力ステップにより送信された確認回答が前記遷移に同意するものである場合に、該契約案内用のサーバ装置への遷移情報を前記ブラウザに送信して該ブラウザを起動させるステップとを備えたことを特徴とする有料放送における契約案内方法。
【請求項４】
コンピュータを請求項１又は２に記載の各手段として機能させる有料放送における契約案内プログラム。
【発明の詳細な説明】
【技術分野】
【０００１】
本発明は、  本発明は、映像、音声、字幕、データ放送、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｉｅ  Ｉｎｆｏｒｍａｔｉｏｎ）などから構成される有料のデジタル放送において、未契約ユーザに対して契約案内を行う方法に関するものである。
【背景技術】
【０００２】
デジタル放送などでは、未契約ユーザが有料放送チャンネルを選局した際に、図１に示すように契約案内を行っている“ご案内チャンネル”へ案内するＣＡ代替サービスと呼ばれるサービスがある（非特許文献１参照）。この“ご案内チャンネル”はノンスクランブル、もしくは、未契約ユーザでもデスクランブル可能な状態で放送されている。現在、ＢＳデジタル放送のＷＯＷＯＷやスターチャンネルにて、このＣＡ代替サービスが提供されている。
【非特許文献１】「ＢＳ／広帯域ＣＳデジタル放送運用規定」、ＡＲＩＢ  ＴＲ−Ｂ１５  ４．４版、平成２０年６月６日、４．２２  ＣＡ代替サービス、ｐｐ．５−２７〜５−３２
【非特許文献２】「ＢＳ／広帯域ＣＳデジタル放送運用規定」、ＡＲＩＢ  ＳＴＤ−Ｂ２５  ５．０版、平成１９年３月１４日、第３章  スクランブル及び関連情報の技術仕様、ｐｐ．１７〜３６
【発明の開示】
【発明が解決しようとする課題】
【０００３】
ＣＡ代替サービスの遷移先はご案内チャンネルとなる放送チャンネルだけであるが、放送チャンネルを運用するには、番組作成や放送設備のコストが大きい。一方、ネットワークの普及により、ポータルサイトでの契約案内を行うことが一般的となっている。図１に示すように、ＣＡ代替サービスの遷移先をポータルサイトにすることで、運用コストも安く、オペレータを介さずにそのままポータルサイトの申込フォーム等により、そのまま契約を行うこともでき、ユーザと事業者共にメリットがあるサービスとなる。
【０００４】
本発明は上記の点に鑑みてなされたもので、その目的は、事業者側の運用コストを下げ、ユーザのユーザビリティを向上することができる有料放送における契約案内システム、契約案内方法、契約案内プログラムを提供することにある。
【課題を解決するための手段】
【０００５】
本発明は、映像、音声、字幕、データ放送、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）などから構成される有料のデジタル放送において、図２に示すＳＩのＳＤＴ（Ｓｅｒｖｉｃｅ  Ｄｅｓｃｒｉｐｔｉｏｎ  Ｔａｂｌｅ）とＢＩＴ（Ｂｒｏａｄｃａｓｔｅｒ  Ｉｎｆｏｒｍａｔｉｏｎ  Ｔａｂｌｅ）、もしくは、ＥＩＴ（Ｅｖｅｎｔ  Ｉｎｆｏｒｍａｔｉｏｎ  Ｔａｂｌｅ）を用いる。ＳＤＴ中には、ＣＡ代替サービスの有無（本発明のＣＡ代替サービスの有無情報）、遷移先チャンネルを示すリンク記述子（本発明の遷移先チャンネル情報）を持つ。ＢＩＴ、もしくは、ＥＩＴ中には、番組内容に関連するポータルサイト情報を示すハイパーリンク記述子（本発明の契約案内用のサーバ装置への遷移情報）を持つ。
【０００６】
また、本発明で用いる、リンク記述子とハイパーリンク記述子中のフィールドを図３に示す。リンク記述子中のｔｒａｎｓｐｏｒｔ＿ｓｔｒｅａｍ＿ｉｄ，ｏｒｉｇｉｎａｌ＿ｎｅｔｗｏｒｋ＿ｉｄ，ｓｅｒｖｉｃｅ＿ｉｄは遷移先のチャンネル情報を示す（以下、遷移先チャンネル情報とする）。本発明では、遷移先チャンネル情報がすべて存在しないチャンネル情報で、今回新たに規定する値、例えば、“０ｘＦＦＦＦ”を示す場合は、遷移先がポータルサイト（契約案内用のサーバ装置が管理するサイト）を示すこととする。また、ハイパーリンク記述子中のｈｙｐｅｒ＿ｌｉｎｋａｇｅ＿ｔｙｐｅが、未定義の値で、今回新たに規定する値、例えば“０ｘＦＦ”であった場合は、ｓｅｌｅｃｔｏｒ＿ｂｙｔｅにＣＡ代替サービスの遷移先ポータルサイトのＵＲＬ情報を示すこととする。
【０００７】
本発明の請求項１に記載の有料放送における契約案内システムは、送出側装置と、受信側装置と、ネットワークを介して前記受信側装置と接続された契約案内用のサーバ装置とを備えた有料放送における契約案内システムであって、前記送出側装置は、有料のデジタル放送のメディアストリームを得る手段と、前記デジタル放送のメディアストリーム中に、ＣＡ代替サービスの有無情報、遷移先チャンネル情報および契約案内用のサーバ装置への遷移情報を含む契約案内用情報を埋め込むＳＩ編集手段と、前記契約案内用情報が埋め込まれたメディアストリームを、スクランブルを施して送出する送出手段とを備え、前記受信側装置は、前記契約案内用のサーバ装置をブラウズするブラウザと、指定されたチャンネルを選局する選局手段と、前記送出側装置の送出手段から送出され、前記選局手段により選局されたチャンネルのメディアストリームを受信する受信手段と、前記受信手段により受信されたメディアストリームを入力とし、該メディアストリームのデスクランブルが可能か否かを判定し、前記契約案内用のサーバ装置への遷移情報の通知を発する処理を行うＳＩ処理手段と、前記ＳＩ処理手段から出力されたメディアストリームのスクランブルを解除するスクランブル解除手段と、前記スクランブル解除手段によりスクランブルが解除されたメディアストリームを再生するとともに、前記ＳＩ処理手段から発せられた各通知を受信し、前記遷移先チャンネル情報の通知を受信したときは、遷移先へ遷移するかをユーザが確認するための提示情報を発するとともに、ユーザが前記遷移に同意した場合に、該遷移先チャンネル情報が示すチャンネルに前記選局手段のチャンネルを指定し、前記契約案内用のサーバ装置への遷移情報の通知を受信したときは、遷移先へ遷移するかをユーザが確認するための提示情報を発するとともに、ユーザが前記遷移に同意した場合に、該契約案内用のサーバ装置への遷移情報を前記ブラウザに送信して該ブラウザを起動させる再生手段と、ユーザが指定するチャンネルを受け付けて前記選局手段に送信するとともに、前記再生手段から発せられた各提示情報をユーザに提示し、該提示に対するユーザからの前記遷移についての確認解答を受け付けて前記再生手段に送信する入出力手段とを備えていることを特徴とする。
【０００８】
また請求項２に記載の有料放送における契約案内システムは、送出側装置と、受信側装置と、ネットワークを介して前記受信側装置と接続された契約案内用のサーバ装置とを備えた有料放送における契約案内システムであって、前記送出側装置は、有料のデジタル放送のメディアストリームを得る手段と、前記デジタル放送のメディアストリーム中に、ＣＡ代替サービスの有無情報、遷移先チャンネル情報および契約案内用のサーバ装置への遷移情報を含む契約案内用情報を埋め込むＳＩ編集手段と、前記契約案内用情報が埋め込まれたメディアストリームを、スクランブルを施して送出する送出手段とを備え、前記受信側装置は、前記契約案内用のサーバ装置をブラウズするブラウザと、指定されたチャンネルを選局する選局手段と、前記送出側装置の送出手段から送出され、前記選局手段により選局されたチャンネルのメディアストリームを受信する受信手段と、前記受信手段により受信されたメディアストリームを入力とし、該メディアストリームのデスクランブルが可能か否かを判定し、可能と判定された場合は該メディアストリームを出力し、不可能と判定された場合は、前記メディアストリーム中に埋め込まれた前記契約案内用情報を抽出し、該抽出された契約案内用情報に基づいて、ＣＡ代替サービス無しのときは視聴不可の通知を発し、遷移先チャンネル情報有りのときは該遷移先チャンネル情報の通知を発し、契約案内用のサーバ装置への遷移情報有りのときは該遷移情報の通知を発する処理を行うＳＩ処理手段と、前記ＳＩ処理手段から出力されたメディアストリームのスクランブルを解除するスクランブル解除手段と、前記スクランブル解除手段によりスクランブルが解除されたメディアストリームを再生するとともに、前記ＳＩ処理手段から発せられた各通知を受信し、前記遷移先チャンネル情報の通知を受信したときは、遷移先へ遷移するかをユーザが確認するための提示情報を発するとともに、ユーザが前記遷移に同意した場合に、該遷移先チャンネル情報が示すチャンネルに前記選局手段のチャンネルを指定し、前記契約案内用のサーバ装置への遷移情報の通知を受信したときは、遷移先へ遷移するかをユーザが確認するための提示情報を発するとともに、ユーザが前記遷移に同意した場合に、該契約案内用のサーバ装置への遷移情報を前記ブラウザに送信して該ブラウザを起動させる再生手段と、ユーザが指定するチャンネルを受け付けて前記選局手段に送信するとともに、前記再生手段から発せられた各提示情報をユーザに提示し、該提示に対するユーザからの前記遷移についての確認解答を受け付けて前記再生手段に送信する入出力手段とを備えていることを特徴とする。
【０００９】
また、請求項３に記載の有料放送における契約案内方法は、送出側装置と、受信側装置と、ネットワークを介して前記受信側装置と接続された契約案内用のサーバ装置とを備えた有料放送における契約案内システムの契約案内方法であって、前記送出側装置のメディアストリームを得る手段が、有料のデジタル放送のメディアストリームを得るステップと、前記送出側装置のＳＩ編集手段が、前記デジタル放送のメディアストリーム中に、ＣＡ代替サービスの有無情報、遷移先チャンネル情報および契約案内用のサーバ装置への遷移情報を含む契約案内用情報を埋め込むＳＩ編集ステップと、前記送出側装置の送出手段が、前記契約案内用情報が埋め込まれたメディアストリームを、スクランブルを施して送出する送出ステップと、前記受信側装置の入出力手段が、ユーザが指定するチャンネルを受け付けて選局手段に送信するステップと、前記受信側装置の選局手段が、前記ユーザが指定したチャンネルを選局する選局ステップと、前記受信側装置の受信手段が、前記送出ステップにより送出され、前記選局ステップにより選局されたチャンネルのメディアストリームを受信する受信ステップと、前記受信側装置のＳＩ処理手段が、前記受信ステップにより受信されたメディアストリームのデスクランブルが可能か否かを判定する判定ステップと、前記受信側装置のスクランブル解除手段が、前記判定ステップで可能と判定された場合のメディアストリームのスクランブルを解除するスクランブル解除ステップと、前記受信側装置のＳＩ処理手段が、前記判定ステップで不可能と判定された場合のメディアストリーム中に埋め込まれた前記契約案内用情報を抽出し、該抽出された契約案内用情報に基づいて、ＣＡ代替サービス無しのときは視聴不可の通知を発し、遷移先チャンネル情報有りのときは該遷移先チャンネル情報の通知を発し、契約案内用のサーバ装置への遷移情報有りのときは該遷移情報の通知を発するＳＩ処理ステップと、前記受信側装置の再生手段が、前記スクランブル解除ステップによりスクランブルが解除されたメディアストリームを再生する再生ステップと、前記受信側装置の再生手段が、前記ＳＩ処理ステップにより発せられた前記遷移先チャンネル情報の通知を受信したときに、遷移先へ遷移するかをユーザが確認するための提示情報を発する第１の提示情報発令ステップと、前記受信側装置の入出力手段が、前記第１の提示情報発令ステップにより発せられた提示情報をユーザに提示し、該提示に対するユーザからの前記遷移についての確認解答を受け付けて前記再生手段に送信する第１の入出力ステップと、前記受信側装置の再生手段が、前記第１の入出力ステップにより送信された確認回答が前記遷移に同意するものである場合に、前記遷移先チャンネル情報が示すチャンネルに前記選局手段のチャンネルを指定するチャンネル遷移ステップと、前記受信側装置の再生手段が、前記ＳＩ処理ステップにより発せられた前記契約案内用のサーバ装置への遷移情報の通知を受信したときに、遷移先へ遷移するかをユーザが確認するための提示情報を発する第２の提示情報発令ステップと、前記受信側装置の入出力手段が、前記第２の提示情報発令ステップにより発せられた提示情報をユーザに提示し、該提示に対するユーザからの前記遷移についての確認解答を受け付けて前記再生手段に送信する第２の入出力ステップと、前記受信側装置の再生手段が、前記第２の入出力ステップにより送信された確認回答が前記遷移に同意するものである場合に、該契約案内用のサーバ装置への遷移情報を前記ブラウザに送信して該ブラウザを起動させるステップとを備えたことを特徴とする。
【００１０】
また、請求項４に記載の有料放送における契約案内プログラムは、コンピュータを請求項１又は２に記載の各手段として機能させる有料放送における契約案内プログラムである。
【発明の効果】
【００１１】
本発明によれば、デジタル放送やＩＰ放送の有料放送において、未契約ユーザが同有料放送チャンネルを選局した際に、契約案内を行っているポータルサイトへ誘導することを可能とし、事業者側の運用コストを下げ、ユーザのユーザビリティを向上することができる。
【発明を実施するための最良の形態】
【００１２】
以下、図面を参照しながら本発明の実施の形態を説明するが、本発明は下記の実施形態例に限定されるものではない。図４に本実施形態例の有料放送における契約案内システム全体の機能ブロック図を示す。
【００１３】
図４において、１００は送出側装置、２００は受信側装置、３００は送出側装置１００と受信側装置２００を結ぶデジタル放送／ＩＰネットワーク、５００は初期接続サーバ、６００は契約案内用のサーバ装置としてのポータルサーバであり、前記サーバ５００、６００はＩＰネットワーク４００を介して受信側装置２００に接続される。
【００１４】
送出側装置１００内の１０１は番組コンテンツであり、１０２は番組コンテンツ１０１を再生する再生手段の再生機能を示している。１０４は放送波を受信するアンテナであり、１０５はアンテナ１０４で受信された放送波をデジタル信号に変換するチューナーである。
【００１５】
１０３は、再生機能１０２またはチューナー１０５から出力されたメディアストリームに契約案内用情報を埋め込むＳＩ編集手段が行う、後述のＳＩ編集機能を示し、１０７はＳＩ編集手段が有する設定手段の設定値を示している。
【００１６】
１０６は、前記契約案内用情報が埋め込まれたメディアストリームをスクランブルしてデジタル放送／ＩＰネットワーク３００へ出力する送出手段が行う送出機能を示している。
【００１７】
２０１は、受信側装置２００内の選局手段が行う選局機能を示している。２０２は、送出側装置１００から送出され、選局機能２０１により選局されたチャンネルのメディアストリームを受信する受信手段の受信機能を示している。
【００１８】
２０３は、受信機能２０２により受信されたメディアストリームに対してＳＩ処理手段が行う後述のＳＩ処理機能を示し、２０４はＳＩ処理手段が有する設定手段の設定値を示している。
【００１９】
２０５は、キーボード、タッチパネル、ディスプレイ、リモコン等を有し、ユーザが指定する情報を入力したり、ユーザに各種情報を提示する入出力手段が行う入出力機能を示している。
【００２０】
２０６は、後述のようにデスクランブル可能と判定されたメディアストリームのスクランブルを解除するデスクランブラ（スクランブル解除手段）である。
【００２１】
２０７は、前記スクランブルが解除されたメディアストリームを再生するとともに後述の処理を行う再生手段が実行する再生機能を示している。
【００２２】
２０８は、受信側装置２００が備えている初期接続機能を示している。２０９は受信側装置２００が備えているライセンス管理機能を示している。
【００２３】
２１０は、ＩＰネットワーク４００を介してポータルサーバ６００をブラウズする（情報を閲覧する）ブラウザである。
【００２４】
５０１は、初期接続サーバ５００が有する、ポータルサーバ６００のＵＲＬ情報を示している。
【００２５】
次に、送出側装置１００の機能ブロック毎の処理フローを説明する。後述の図６に示すデジタル放送での利用および図７に示すＩＰ放送での利用の場合、再生機能１０２は番組コンテンツ１０１を再生し、ＳＩ編集機能１０３へメディアストリームを出力する。
【００２６】
また、後述の図８に示すＩＰ同時再送信での利用の場合、アンテナ１０４は放送波を受信し、チューナー１０５に放送波を出力し、チューナー１０５は入力された放送波をデジタル信号へ変換してメディアストリームとしてＳＩ編集機能１０３へ出力する。
【００２７】
設定値１０７には事前に、図３（ａ）に示すように、ＳＤＴのリンク記述子の遷移先チャンネル情報（ｔｒａｎｓｐｏｒｔ＿ｓｔｒｅａｍ＿ｉｄ，ｏｒｉｇｉｎａｌ＿ｎｅｔｗｏｒｋ＿ｉｄ，ｓｅｒｖｉｃｅ＿ｉｄ）の設定情報“０ｘＦＦＦＦ”を設定しておく。また図３（ｂ）に示すように、ＢＩＴ、もしくは、ＥＩＴのハイパーリンク記述子のｈｙｐｅｒ＿ｌｉｎｋａｇｅ＿ｔｙｐｅを“０ｘＦＦ”、ｓｅｌｅｃｔｏｒ＿ｂｙｔｅにポータルサーバ６００のＵＲＬ情報を設定しておく。
【００２８】
ＳＩ編集機能１０３では、入力されたメディアストリームに対して設定値１０７に設定されているＳＤＴ、ＢＩＴ、もしくは、ＥＩＴの設定値を埋め込み、送出機能１０６へ出力する。
【００２９】
送出機能１０６は、入力されたメディアストリームをスクランブルして、デジタル放送／ＩＰネットワーク３００へ出力する。
【００３０】
次に、受信側装置２００の機能ブロック毎の処理フローを説明する。  
【００３１】
起動時に初期接続機能２０８にてＩＰネットワーク４００経由で初期接続サーバ５００へ接続し、ポータルサーバ６００のＵＲＬ情報５０１を取得し、設定値２０４へ上書き保存しておく。
【００３２】
入出力機能２０５ではユーザが指定したチャンネルを選局機能２０１へ通知する。選局機能２０１は受信機能２０２に対して、指定されたチャンネルを受信するよう受信機能２０２へ通知する。
【００３３】
受信機能２０２はデジタル放送／ＩＰネットワーク３００から選局機能２０１にて指定されたチャンネルのメディアストリームを受信し、ＳＩ処理機能２０３へ出力する。
【００３４】
ここでＳＩ処理機能２０３の処理フローを図５とともに説明する。  
【００３５】
ステップＳ１：受信機能２０２からメディアストリームの入力を受け、ステップＳ２へ進む。
【００３６】
ステップＳ２：同メディアストリーム中のＥＣＭ情報を抜出し、ライセンス管理機能２０９に渡し、本メディアストリームがデスクランブル可能かを確認する（非特許文献２参照）。可能な場合はステップＳ１４へ、不可能な場合はステップＳ３へ進む。
【００３７】
ステップＳ３：同メディアストリーム中のＳＤＴリンク記述子を確認し、同記述子内のｌｉｎｋａｇｅ＿ｔｙｐｅが“０ｘ０３”でありＣＡ代替の指定があるかを確認する。指定がない場合はステップＳ４へ、指定がある場合はステップＳ５へ進む。
【００３８】
ステップＳ４：再生機能２０７へ視聴不可であることを通知する。
【００３９】
ステップＳ５：同メディアストリーム中のＳＤＴのリンク記述子中の遷移先チャンネル情報がすべて“０ｘＦＦＦＦ”であるかを確認する。“０ｘＦＦＦＦ”でない場合はステップＳ６へ、“０ｘＦＦＦＦ”である場合はステップＳ７へ進む。
【００４０】
ステップＳ６：再生機能２０７へＣＡ代替サービスのメッセージ情報であるＳＤＴのリンク記述子中のｐｒｉｖａｔｅ＿ｄａｔａ＿ｂｙｔｅの情報と、遷移先チャンネルの情報を通知する。
【００４１】
ステップＳ７：同メディアストリーム中のＢＩＴのハイパーリンク記述子中のｈｙｐｅｒ＿ｌｉｎｋａｇｅ＿ｔｙｐｅが“０ｘＦＦ”であるかを確認する。“０ｘＦＦ”である場合はステップＳ８へ、“０ｘＦＦ”でない場合はステップＳ９へ進む。
【００４２】
ステップＳ８：ＢＩＴのハイパーリンク記述子中のｓｅｌｅｃｔｏｒ＿ｂｙｔｅの情報を設定値２０４に上書き保存し、ステップＳ９へ進む。
【００４３】
ステップＳ９：同メディアストリーム中のＥＩＴのハイパーリンク記述子中のｈｙｐｅｒ＿ｌｉｎｋａｇｅ＿ｔｙｐｅが“０ｘＦＦ”であるかを確認する。“０ｘＦＦ”である場合はステップＳ１０へ、“０ｘＦＦ”でない場合はステップＳ１１へ進む。
【００４４】
ステップＳ１０：ＥＩＴのハイパーリンク記述子中のｓｅｌｅｃｔｏｒ＿ｂｙｔｅの情報を設定値２０４に上書き保存し、ステップＳ１１へ進む。
【００４５】
ステップＳ１１：設定値２０４に遷移先ＵＲＬ情報がない場合はステップＳ１２へ、ある場合はステップＳ１３へ進む。
【００４６】
ステップＳ１２：再生機能２０７へエラー情報（ＣＡ代替サービスの遷移先情報がないこと）を通知する。
【００４７】
ステップＳ１３：再生機能２０７へＣＡ代替サービスのメッセージ情報であるＳＤＴのリンク記述子中のｐｒｉｖａｔｅ＿ｄａｔａ＿ｂｙｔｅの情報と、設定値２０４の遷移先ＵＲＬ情報を通知する。
【００４８】
ステップＳ１４：次に選局されるまでは、デスクランブラ２０６へメディアストリームを出力し続ける。
【００４９】
次に、デスクランブラ２０６は、ＳＩ処理機能２０３から入力されるメディアストリームを、ライセンス管理機能２０９と連携してデスクランブルし、再生機能２０７へ出力する。
【００５０】
再生機能２０７は、デスクランブラ２０６から入力されるメディアストリームを再生する。また、ＳＩ処理機能２０３からの通知情報を受け、下記の処理を行う。
【００５１】
（１）図５のステップＳ６の処理により、ＳＩ処理機能２０３からＣＡ代替サービスのメッセージ、遷移先チャンネル情報を受けた場合は、ＣＡ代替サービスのメッセージを提示（例えば入出力機能２０５によるディスプレイ表示）し、ユーザに対して遷移するかを確認する。ユーザが遷移に同意する場合（例えばユーザがキーボードにより同意を示す回答を入力した場合）は、遷移先チャンネル情報で指定されたチャンネルを選局機能２０１へ通知し、同チャンネルへ遷移する。
【００５２】
（２）図５のステップＳ１３の処理により、ＳＩ処理機能２０３からＣＡ代替サービスのメッセージ、設定値２０４の遷移先ＵＲＬ情報を受けた場合は、ＣＡ代替サービスのメッセージを提示し、ユーザに対して遷移するかを確認する。ユーザが遷移に同意する場合は、遷移先ＵＲＬ情報をブラウザ２１０へ通知し、ブラウザ２１０を起動して、ＩＰネットワーク４００を経由してポータルサーバ６００をブラウズする。
【００５３】
（３）図５のステップＳ１２の処理により、ＳＩ処理機能２０３からＣＡ代替サービスのエラー情報（ＣＡ代替サービスの遷移先情報がないこと）を受けた場合は、同エラー内容を表示する。
【００５４】
これにより、事業者側で指定することにより、ＣＡ代替サービスの遷移先をポータルサイトとすることが可能となる。
【００５５】
次に本発明の有料放送における契約案内方法の具体的な実施形態例を図４とともに説明する。
【００５６】
ステップＳ２１：送出側装置１００において、番組コンテンツ１０１の有料の番組を再生機能１０２が再生するか、又はアンテナ１０４により受信した有料の放送をチューナー１０５がデジタルに変換することにより、有料のデジタル放送のメディアストリームを得る。
【００５７】
ステップＳ２２：ＳＩ編集機能１０３が、前記デジタル放送のメディアストリーム中に、ＣＡ代替サービスの有無情報、遷移先チャンネル情報およびポータルサーバ６００への遷移情報を含む契約案内用情報を埋め込む。
【００５８】
ステップＳ２３：送出機能１０６が、前記契約案内用情報が埋め込まれたメディアストリームを、スクランブルを施して送出する。
【００５９】
ステップＳ２４：前記受信側装置２００において入出力機能２０５が、ユーザが指定するチャンネルを受け付けて選局機能２０１に送信する。
【００６０】
ステップＳ２５：選局機能２０１が、前記ユーザが指定したチャンネルを選局する。
【００６１】
ステップＳ２６：受信機能２０２が、前記送出機能１０６から送出され、前記選局機能２０１により選局されたチャンネルのメディアストリームを受信する。
【００６２】
ステップＳ２７：ＳＩ処理機能２０３が、前記ステップＳ２６により受信されたメディアストリームのデスクランブルが可能か否かを判定する。
【００６３】
ステップＳ２８：デスクランブラ２０６が、前記ステップＳ２７で可能と判定された場合のメディアストリームのスクランブルを解除する。
【００６４】
ステップＳ２９：ＳＩ処理機能２０３が、前記ステップＳ２７で不可能と判定された場合のメディアストリーム中に埋め込まれた前記契約案内用情報を抽出し、該抽出された契約案内用情報に基づいて、ＣＡ代替サービス無しのときは視聴不可の通知を発し、遷移先チャンネル情報有りのときは該遷移先チャンネル情報の通知を発し、ポータルサーバ６００への遷移情報有りのときは該遷移情報の通知を発する。
【００６５】
ステップＳ３０：再生機能２０７が、前記ステップＳ２８によりスクランブルが解除されたメディアストリームを再生する。
【００６６】
ステップＳ３１：再生機能２０７が、前記ステップＳ２９により発せられた前記遷移先チャンネル情報の通知を受信したときに、遷移先へ遷移するかをユーザが確認するための提示情報を発する。
【００６７】
ステップＳ３２：入出力機能２０５が、前記ステップＳ３１により発せられた提示情報をユーザに提示し、該提示に対するユーザからの前記遷移についての確認解答を受け付けて前記再生機能２０７に送信する。
【００６８】
ステップＳ３３：再生機能２０７が、前記ステップＳ３２により送信された確認回答が前記遷移に同意するものである場合に、前記遷移先チャンネル情報が示すチャンネルに前記選局機能２０１のチャンネルを指定する。
【００６９】
ステップＳ３４：再生機能２０７が、前記ステップＳ２９により発せられた前記ポータルサーバ６００への遷移情報の通知を受信したときに、遷移先へ遷移するかをユーザが確認するための提示情報を発する。
【００７０】
ステップＳ３５：入出力機能２０５が、前記ステップＳ３４により発せられた提示情報をユーザに提示し、該提示に対するユーザからの前記遷移についての確認解答を受け付けて前記再生機能２０７に送信する。
【００７１】
ステップＳ３６：再生機能２０７が、前記ステップＳ３５により送信された確認回答が前記遷移に同意するものである場合に、該ポータルサーバ６００への遷移情報をブラウザ２１０に送信して該ブラウザ２１０を起動させる。
【００７２】
次に、デジタル放送、ＩＰ放送、または、ＩＰ同時再送信において未契約ユーザに契約案内を行える本発明の実施例を示す。
【００７３】
（実施例１）
図６に本発明をデジタル放送で利用した場合のシステム構成を示す。図６において、７０１は、図４の送出側装置１００を備え、有料放送を行う放送局設備である。７０２はデジタル放送波を示している。
【００７４】
７０３は図４の受信側装置２００を備えた受信機である。７０４はＩＰネットワークを示し、７０５は図４のポータルサーバ６００が管理するポータルサイトを示している。
【００７５】
有料放送を行う放送局設備７０１では放送番組を含んだデジタル放送波７０２を送る機能を有する。受信機７０３では同デジタル放送波７０２を受信し、再生・表示できる機能を有し、また、ＩＰネットワーク７０４経由でポータルサイト７０５をブラウズできる機能を有する。
【００７６】
以下、デジタル放送での本実施例におけるシステム動作について記述する。  
（１）有料放送を行う放送局設備７０１からは、図４の番組コンテンツ１０１を再生機能１０２により再生した放送番組の情報をのせたデジタル放送波７０２を送る。この際、ＳＤＴのリンク記述子中の遷移先チャンネル情報はすべて“０ｘＦＦＦＦ”、そして、ＢＩＴ、もしくは、ＥＩＴ中のハイパーリンク記述子中のｈｙｐｅｒ＿ｌｉｎｋａｇｅ＿ｔｙｐｅは“０ｘＦＦ”とし、ｓｅｌｅｃｔｏｒ＿ｂｙｔｅには契約案内情報があるポータルサイト７０５のＵＲＬ情報を設定しておく。
（２）未契約で契約ライセンスがない受信機７０３では、同デジタル放送波７０２を受け、図４で説明した受信側装置２００の処理を行い、ＣＡ代替サービスの遷移でポータルサイト７０５にアクセスする。
【００７７】
（実施例２)
図７に本発明をＩＰ放送で利用した場合のシステム構成を示す。図７において、８０１は図４の初期接続サーバと同じ機能を有する初期接続サーバである。８０２はＩＰネットワークを示している。８０３は図４の受信側装置２００を備えた受信機である。
【００７８】
８０４は図４の送出側装置１００を備え、有料放送を行うＩＰ化送出サーバである。８０５はＩＰ化送出サーバ８０４から送出されるマルチキャストストリームを示している。８０６は図４のポータルサーバ６００が管理するポータルサイトを示している。
【００７９】
前記初期接続サーバ８０１ではポータルサイト８０６のＵＲＬ情報を有する。有料放送を行うＩＰ化送出サーバ８０４では放送番組を含んだマルチキャストストリーム８０５を送る機能を有する。受信機８０３では初期接続サーバ８０１からポータルサイト８０６のＵＲＬ情報を取得できる機能を有し、同マルチキャストストリーム８０５を受信し再生・表示できる機能を有し、また、ＩＰネットワーク８０２経由でポータルサイト８０６をブラウズできる機能を有する。
【００８０】
以下、ＩＰ放送での本実施例におけるシステム動作について記述する。  
（１）受信機８０３は起動時に、ＩＰネットワーク８０２経由で、初期接続サーバ８０１にアクセスし、ポータルサイト８０６のＵＲＬ情報を取得する。
（２）有料放送を行うＩＰ化送出サーバ８０４からは、図４の番組コンテンツ１０１を再生機能１０２により再生した放送番組のマルチキャストストリーム８０５をＩＰネットワーク８０２へ送出する。この際、ＳＤＴのリンク記述子中の遷移先チャンネル情報はすべて“０ｘＦＦＦＦ”と設定しておく。
（３）未契約で契約ライセンスがない受信機８０３では、前記マルチキャストストリーム８０５を受け、図４で説明した受信側装置２００の処理を行い、ＣＡ代替サービスの遷移でポータルサイト８０６にアクセスする。
【００８１】
（実施例３)
図８に本発明をＩＰ同時再送信で利用した場合のシステム構成を示す。図８において、９０１は有料放送を行う放送局設備である。９０２は放送局設備９０１から送出されるデジタル放送波を示している。
【００８２】
９０３は図４の送出側装置１００を備えたＩＰ化送出サーバである。９０４はＩＰネットワークを示している。９０５はＩＰ化送出サーバ９０３から送出されるマルチキャストストリームを示している。
【００８３】
９０６は図４の受信側装置２００を備えた受信機である。９０７は図４のポータルサーバ６００が管理するポータルサイトを示している。
【００８４】
前記有料放送を行う放送局設備９０１では放送番組を含んだデジタル放送波９０２を送る機能を有する。ＩＰ化送出サーバ９０３はデジタル放送波９０２を受け、デジタル放送波９０２をマルチキャストストリーム９０５に変換して、ＩＰネットワーク９０４へ送出する機能を有する。受信機９０６では同マルチキャストストリーム９０５を受信し、再生・表示できる機能を有し、また、ＩＰネットワーク９０４経由でポータルサイト９０７をブラウズできる機能を有する。
【００８５】
以下、ＩＰ同時再送信での本実施例におけるシステム動作について記述する。
（１）有料放送を行う放送局設備９０１からは放送番組の情報をのせたデジタル放送波（９０２）を送る。
（２）ＩＰ化送出サーバ９０３は、放送波９０２を受信し、マルチキャストストリーム９０５へ変換し、ＩＰネットワーク９０４へ送出する。この際、ＳＤＴのリンク記述子中の遷移先チャンネル情報はすべて“０ｘＦＦＦＦ”、そして、ＢＩＴ、もしくは、ＥＩＴ中のハイパーリンク記述子中のｈｙｐｅｒ＿ｌｉｎｋａｇｅ＿ｔｙｐｅは“０ｘＦＦ”とし、ｓｅｃｔｏｒ＿ｂｙｔｅには契約案内情報があるポータルサイト９０７のＵＲＬ情報を設定しておく。
（３）未契約で契約ライセンスがない受信機９０６では、前記マルチキャストストリーム９０５を受け、図４で説明した受信側装置２００の処理を行い、ＣＡ代替サービスの遷移でポータルサイト９０７にアクセスする。
【００８６】
また、本実施形態の有料放送における契約案内システムにおける各手段の一部もしくは全部の機能をコンピュータのプログラムで構成し、そのプログラムをコンピュータを用いて実行して本発明を実現することができること、本実施形態の有料放送における契約案内方法における手順をコンピュータのプログラムで構成し、そのプログラムをコンピュータに実行させることができることは言うまでもなく、コンピュータでその機能を実現するためのプログラムを、そのコンピュータが読み取り可能な記録媒体、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）−ＲＯＭ、ＤＶＤ（Ｄｉｇｉｔａｌ  Ｖｅｒｓａｔｉｌｅ  Ｄｉｓｋ）−ＲＯＭ、ＣＤ−Ｒ、ＣＤ−ＲＷ、ＨＤＤ、リムーバブルディスクなどに記録して、保存したり、配布したりすることが可能である。また、上記のプログラムをインターネットや電子メールなど、ネットワークを通して提供することも可能である。
【図面の簡単な説明】
【００８７】
【図１】従来技術と本発明において用いられるＣＡ代替サービスを示す説明図。
【図２】本発明で利用するＳＩ（Ｓｅｒｖｉｃｅ  Ｉｎｆｏｒｍａｔｉｏｎ）の説明図。
【図３】本発明で利用する記述子を示し、（ａ）はリンク記述子の説明図、（ｂ）はハイパーリンク記述子の説明図。
【図４】本発明の実施形態例の機能ブロック図。
【図５】本発明の実施形態例における受信側装置での処理を示すフローチャート。
【図６】本発明の実施例１のシステム構成図。
【図７】本発明の実施例２のシステム構成図。
【図８】本発明の実施例３のシステム構成図。
【符号の説明】
【００８８】
１００…送出側装置、１０１…番組コンテンツ、１０２…再生機能、１０３…ＳＩ編集機能、１０４…アンテナ、１０５…チューナー、１０６…送出機能、２００…受信側装置、２０１…選局機能、２０２…受信機能、２０３…ＳＩ処理機能、２０５…入出力機能、２０６…デスクランブラ、２０７…再生機能、２０８…初期接続機能、２０９…ライセンス管理機能、２１０…ブラウザ、３００…デジタル放送／ＩＰネットワーク、４００…ＩＰネットワーク、５００、８０１…初期接続サーバ、６００…ポータルサーバ、７０１、９０１…放送局設備、７０３、８０３、９０６…受信機、７０５、８０６、９０７…ポータルサイト、８０４、９０３…ＩＰ化送出サーバ。
【図１】
2010081008.tif 000003
【図２】
2010081008.tif 000004
【図３】
2010081008.tif 000005
【図４】
2010081008.tif 000006
【図５】
2010081008.tif 000007
【図６】
2010081008.tif 000008
【図７】
2010081008.tif 000009
【図８】
2010081008.tif 000010